【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
第１の所定数のフレームごとに同じ値のタイムコードが対応づけられ、複数の符号化タイプを用いる所定の符号化方法により第２の所定数のフレームを含む符号化単位で符号化された動画データを取得する取得手段と、
前記動画データにおける所定の符号化タイプのフレームであって、且つ、直前のフレームのタイムコードとは違う値のタイムコードに対応したフレームを、前記動画データの編集点の候補のフレームとして決定する決定手段と、
前記決定手段で決定された前記候補のフレームに基づいて、前記動画データの編集点のフレームを設定する設定手段と、
前記設定手段により設定された前記編集点のフレームに応じて前記動画データを編集する編集手段と、
を備えることを特徴とする画像処理装置。
【請求項２】
前記複数の符号化タイプはフレーム内符号化タイプとフレーム間符号化タイプとを含み、
前記決定手段は、前記フレーム内符号化タイプのフレームであって、且つ、直前のフレームのタイムコードとは違う値のタイムコードに対応したフレームを、前記候補のフレームとして決定することを特徴とする請求項１に記載の画像処理装置。
【請求項３】
前記複数の符号化タイプはフレーム内符号化タイプとフレーム間符号化タイプとを含み、
前記決定手段は、前記符号化単位が他の符号化単位のフレームを参照することにより符号化されたフレームを含まない第１のタイプである場合、前記符号化単位における、表示順が先頭のフレームであって、且つ、直前のフレームのタイムコードと異なる値のタイムコードに対応したフレームを、前記候補のフレームとして決定することを特徴とする請求項１に記載の画像処理装置。
【請求項４】
前記決定手段は、前記符号化単位が他の符号化単位のフレームを参照することにより符号化されたフレームを含む第２のタイプである場合、前記符号化単位における、前記フレーム内符号化タイプのフレームであって、且つ、直前のフレームのタイムコードと異なる値のタイムコードに対応したフレームを、前記候補のフレームとして決定することを特徴とする請求項３に記載の画像処理装置。
【請求項５】
第１の所定数のフレームごとに同じ値のタイムコードが対応づけられた動画データであって、複数の符号化タイプを用いる所定の符号化方法により、第２の所定数のフレームを含む符号化単位で符号化された動画データを取得する取得手段と、
前記符号化単位における表示順が最後のフレームであって、且つ、次のフレームのタイムコードとは違う値のタイムコードに対応したフレームを、前記動画データの編集点の候補のフレームとして決定する決定手段と、
前記決定手段により決定された前記候補のフレームに基づいて、前記動画データの編集点のフレームを設定する設定手段と、
前記設定手段により設定された前記編集点のフレームに応じて前記動画データを編集する編集手段とを備える画像処理装置。
【請求項６】
前記設定手段は、ユーザによりフレームが指定された場合に、前記ユーザによる前記指定されたフレームに基づいて前記編集点のフレームを設定することを特徴とする請求項１または５に記載の画像処理装置。
【請求項７】
前記設定手段は、前記指定されたフレームが前記候補のフレームでない場合には、前記候補のフレームのうち前記指定されたフレームに最も近いフレームを前記編集点のフレームとして設定することを特徴とする請求項６に記載の画像処理装置。
【請求項８】
前記編集手段が行う編集処理は、前記編集点において前記動画データを分割する分割処理と、前記編集点において前記動画データを他の動画データと結合する結合処理とを含むことを特徴とする請求項１または５に記載の画像処理装置。
【請求項９】
前記決定手段は、前記動画データにおけるフレームの位置に関する情報に応じて、前記候補のフレームを決定することを特徴とする請求項１または５に記載の画像処理装置。
【請求項１０】
第１の所定数のフレームごとに同じ値のタイムコードが対応づけられた動画データであって、フレーム内符号化タイプとフレーム間符号化タイプとを含む複数の符号化タイプを用いる所定の符号化方法により、第２の所定数のフレームを含む符号化単位で符号化された動画データを取得する取得手段と、
前記動画データにおける、イン点とアウト点とを含む編集点の候補のフレームを決定する手段であって、前記符号化単位における、表示順が先頭である前記フレーム間符号化タイプのフレームであって、且つ、直前のフレームのタイムコードと異なる値のタイムコードに対応したフレームを、前記イン点の候補のフレームとして決定し、前記符号化単位における、表示順が最後のフレームであって、且つ、次のフレームのタイムコードと異なる値のタイムコードに対応したフレームを、前記アウト点の候補のフレームとして決定する決定手段と、
前記決定手段により決定された前記候補のフレームに基づいて、前記動画データの編集点のフレームを設定する設定手段と、
前記設定手段により設定された前記編集点のフレームに応じて前記動画データを編集する編集手段とを備える画像処理装置。
【請求項１１】
前記タイムコードは、時、分、秒、及びフレームを含み、前記動画データの前記第１の所定数のフレームごとに時、分、秒、及びフレームの値が同じであるタイムコードが対応づけられていることを特徴とする請求項１から１０の何れか１項に記載の画像処理装置。
【請求項１２】
第１の所定数のフレームごとに同じ値のタイムコードが対応づけられ、複数の符号化タイプを用いる所定の符号化方法により第２の所定数のフレームを含む符号化単位で符号化された動画データを取得する工程と、
前記動画データにおける所定の符号化タイプのフレームであって、且つ、直前のフレームのタイムコードとは違う値のタイムコードに対応したフレームを、前記動画データの編集点の候補のフレームとして決定する工程と、
前記決定する工程で決定された前記候補のフレームに基づいて、前記動画データの編集点のフレームを設定する工程と、
前記設定する工程により設定された前記編集点のフレームに応じて前記動画データを編集する工程と、
を備えることを特徴とする画像処理方法。
【請求項１３】
第１の所定数のフレームごとに同じ値のタイムコードが対応づけられた動画データであって、複数の符号化タイプを用いる所定の符号化方法により、第２の所定数のフレームを含む符号化単位で符号化された動画データを取得する工程と、
前記符号化単位における表示順が最後のフレームであって、且つ、次のフレームのタイムコードとは違う値のタイムコードに対応したフレームを、前記動画データの編集点の候補のフレームとして決定する工程と、
前記決定する工程により決定された前記候補のフレームに基づいて、前記動画データの編集点のフレームを設定する工程と、
前記設定する工程により設定された前記編集点のフレームに応じて前記動画データを編集する工程とを備える画像処理方法。
【請求項１４】
第１の所定数のフレームごとに同じ値のタイムコードが対応づけられた動画データであって、フレーム内符号化タイプとフレーム間符号化タイプとを含む複数の符号化タイプを用いる所定の符号化方法により、第２の所定数のフレームを含む符号化単位で符号化された動画データを取得する工程と、
前記動画データにおける、イン点とアウト点とを含む編集点の候補のフレームを決定する工程であって、前記符号化単位における、表示順が先頭である前記フレーム間符号化タイプのフレームであって、且つ、直前のフレームのタイムコードと異なる値のタイムコードに対応したフレームを、前記イン点の候補のフレームとして決定し、前記符号化単位における、表示順が最後のフレームであって、且つ、次のフレームのタイムコードと異なる値のタイムコードに対応したフレームを、前記アウト点の候補のフレームとして決定する工程と、
前記決定する工程により決定された前記候補のフレームに基づいて、前記動画データの編集点のフレームを設定する工程と、
前記設定する工程により設定された前記編集点のフレームに応じて前記動画データを編集する工程とを備える画像処理方法。
【手続補正２】
【補正対象書類名】明細書
【補正対象項目名】発明の名称
【補正方法】変更
【補正の内容】
【発明の名称】画像処理装置および画像処理方法
【手続補正３】
【補正対象書類名】明細書
【補正対象項目名】０００１
【補正方法】変更
【補正の内容】
【０００１】
本発明は画像処理装置および画像処理方法に関し、特に、動画データを編集するための画像処理装置および画像処理方法に関する。